(57)【要約】【課題】関連する情報を効果的に検索及び表示することができる多層ワーク支援装置を提供する。【解決手段】多層ワーク支援装置１０の情報アクセス装置１６には、ボタン群が設けられている。ボタン群は、個別文書ボタン１８０と一括表示ボタン１８２とから構成されている。個別文書ボタン１８０は、ディスプレイ１４に表示される対象を指定するボタンである。指定される対象には、Ｗｅｂページ、電子ファイルが含まれる。一括表示ボタン１８２は、個別文書ボタン１８０により指定される対象に付与されている関連情報を指定するボタンである。一括表示ボタン１８２が押下されると、指定された関連情報に基づいて、対象が検索される。検索後、一括表示ボタン１８２が再度押下されると、検索された対象がディスプレイに表示される。【選択図】図３
2007133569.tif 000002
【特許請求の範囲】
【請求項１】
ディスプレイと、
前記ディスプレイに表示される対象と、当該対象に付与された関連情報とを記憶する記憶手段と、
前記記憶手段により記憶されている関連情報を指定する関連情報指定手段と、
前記関連情報指定手段により指定された関連情報に基づいて検索された対象を、前記ディスプレイに表示する表示手段と
を有する多層ワーク支援装置。
【請求項２】
ディスプレイと、
前記ディスプレイに表示される対象と、当該対象に付与された複数の関連情報とを記憶する記憶手段と、
前記記憶手段により記憶されている関連情報を指定する複数の関連情報指定ボタンと、
前記複数の関連情報指定手段により指定された複数の関連情報に基づいて検索された対象を、前記ディスプレイに表示する表示手段と
を有する多層ワーク支援装置。
【請求項３】
ディスプレイと、
前記ディスプレイに表示される対象と、当該対象に付与された関連情報とを記憶する記憶手段と、
前記記憶手段により記憶されている関連情報を指定する関連情報指定手段と、
前記関連情報指定手段により指定された関連情報に基づいて検索する検索手段と、
前記検索手段により検索された対象を、前記ディスプレイに表示する表示手段と
を有する多層ワーク支援装置。
【請求項４】
ディスプレイと、
前記ディスプレイに表示される対象と、当該対象に付与された関連情報とを記憶する記憶手段と、
前記記憶手段により記憶されている関連情報を指定する関連情報指定手段と、
前記関連情報指定手段により指定された関連情報に基づいて検索する複数の検索手段と、
前記複数の検索手段により検索された対象を統合する統合手段と、
前記統合手段により統合された対象を、前記ディスプレイに表示する表示手段と
を有する多層ワーク支援装置。
【請求項５】
ディスプレイと、
前記ディスプレイに表示される対象を指定する指定手段と、
前記ディスプレイに表示される対象と、当該対象に付与された関連情報とを記憶する記憶手段と、
前記指定手段により指定された対象と、当該対象に付与されている関連情報を付与された対象であって前記記憶手段により記憶されている対象とを、前記ディスプレイに表示する表示手段と
を有する多層ワーク支援装置。
【請求項６】
ディスプレイに表示される対象と、当該対象に付与された関連情報とを記憶し、
前記記憶されている関連情報を指定する手段を介した入力を受け付け、
前記指定された関連情報に基づいて検索された対象を、ディスプレイに表示する
多層ワーク支援装置の表示方法。
【請求項７】
コンピュータを含む多層ワーク支援装置において、
ディスプレイに表示される対象と、当該対象に付与された関連情報とを記憶する記憶ステップと、
前記記憶されている関連情報を指定する手段を介した入力を受け付ける関連情報指定ステップと、
前記指定された関連情報に基づいて検索された対象を、ディスプレイに表示する表示ステップと
を前記多層ワーク支援装置のコンピュータに実行させるプログラム。
【発明の詳細な説明】
【技術分野】
【０００１】
本発明は、パーソナルコンピュータ、ディスプレイ、スピーカ等のコンピューティング環境を、複数、機能的に統合して、複雑多数のワークに効率よく取り組むためのコンピューティング環境を構築する技術に関する。
【背景技術】
【０００２】
多数の業務を多層的に行うことを支援する環境が求められている。このような環境においては、ユーザは、多数の業務を処理するために、関連する情報を効率よく取得する必要がある。
特許文献１においては、ユーザに関連する情報を予め保持しておき、この情報に基づいて関連情報を提示するシステムが開示されている。
【０００３】
【特許文献１】特開２００５−０６３２４５号公報
【発明の開示】
【発明が解決しようとする課題】
【０００４】
しかしながら、特許文献１では、ユーザの操作により関連検索を容易にするインタフェースは開示されていない。また、特許文献１に開示されているシステムは、複数のコンピュータ間における簡易連携検索に関するシステムではない。
本発明は、上述した背景からなされたものであり、関連する情報を効果的に検索及び表示することができる多層ワーク支援システムを提供することを目的とする。
【課題を解決するための手段】
【０００５】
上記目的を達成するために、本発明に係る第１の多層ワーク支援装置は、ディスプレイと、前記ディスプレイに表示される対象と、当該対象に付与された関連情報とを記憶する記憶手段と、前記記憶手段により記憶されている関連情報を指定する関連情報指定手段と、前記関連情報指定手段により指定された関連情報に基づいて検索された対象を、前記ディスプレイに表示する表示手段とを有する。
【０００６】
本発明に係る第２の多層ワーク支援装置は、ディスプレイと、前記ディスプレイに表示される対象と、当該対象に付与された複数の関連情報とを記憶する記憶手段と、前記記憶手段により記憶されている関連情報を指定する複数の関連情報指定手段と、前記複数の関連情報指定手段により指定された複数の関連情報に基づいて検索された対象を、前記ディスプレイに表示する表示手段とを有する。
【０００７】
本発明に係る第３の多層ワーク支援装置は、ディスプレイと、前記ディスプレイに表示される対象と、当該対象に付与された関連情報とを記憶する記憶手段と、前記記憶手段により記憶されている関連情報を指定する関連情報指定手段と、前記関連情報指定手段により指定された関連情報に基づいて検索する検索手段と、前記検索手段により検索された対象を、前記ディスプレイに表示する表示手段とを有する。
【０００８】
また、本発明に係る第４の多層ワーク支援装置は、ディスプレイと、前記ディスプレイに表示される対象と、当該対象に付与された関連情報とを記憶する記憶手段と、前記記憶手段により記憶されている関連情報を指定する関連情報指定手段と、前記関連情報指定手段により指定された関連情報に基づいて検索する複数の検索手段と、前記複数の検索手段により検索された対象を統合する統合手段と、前記統合手段により統合された対象を、前記ディスプレイに表示する表示手段とを有する。
【０００９】
また、本発明に係る第５の多層ワーク支援装置は、ディスプレイと、前記ディスプレイに表示される対象を指定する指定手段と、前記ディスプレイに表示される対象と、当該対象に付与された関連情報とを記憶する記憶手段と、前記指定手段により指定された対象と、当該対象に付与されている関連情報を付与された対象であって前記記憶手段により記憶されている対象とを、前記ディスプレイに表示する表示手段とを有する。
【００１０】
また、本発明に係る多層ワーク支援装置の表示方法は、ディスプレイに表示される対象と、当該対象に付与された関連情報とを記憶し、前記記憶されている関連情報を指定する手段を介した入力を受け付け、前記指定された関連情報に基づいて検索された対象を、ディスプレイに表示する。
【００１１】
また、本発明に係る多層ワーク支援装置の関連情報指定方法は、入力デバイスとして、例えばハードウェアによるボタン形式、あるいはタッチパネルによるイベント発生エリア指定形式、あるいは温度感知装置によるイベント発生指定形式、視線、および顔面方向検出装置によるイベント発生指定形式等で用意された関連情報指定装置において、前記装置を加圧、接触、過熱、注視するなどして当該イベントを発生する。
【００１２】
さらに、本発明に係るプログラムは、コンピュータを含む多層ワーク支援装置において、ディスプレイに表示される対象と、当該対象に付与された関連情報とを記憶する記憶ステップと、前記記憶されている関連情報を指定する手段を介した入力を受け付ける関連情報指定ステップと、前記指定された関連情報に基づいて検索された対象を、ディスプレイに表示する表示ステップとを前記多層ワーク支援装置のコンピュータに実行させる。
【発明の効果】
【００１３】
本発明に係る多層ワーク支援装置によれば、関連する情報を効果的に検索及び表示することができる。
【発明を実施するための最良の形態】
【００１４】
図１は、本発明の実施形態に係る多層ワーク支援装置１０を示す図である。
図１に示すように、多層ワーク支援装置１０は、装置本体１２を中心として構成されており、装置本体１２を支える脚部４０、ディスプレイ１４ａ〜１４ｃ、これらのディスプレイ１４ａ〜１４ｃに表示する対象を指定するボタン群が配置された情報アクセス装置１６ａ，１６ｂ、及び入出力インターフェイス（ＩＦ）２２を有する。また、多層ワーク支援装置１０は、所定の音を出力するスピーカ（不図示）も有する。
なお、脚部４０は着脱可能であってもよく、装置本体１２がテーブル等に載置されて用いられてもよい。また、ディスプレイ１４ａ〜１４ｃなど、複数ある構成部分のいずれかを特定せずに示すときには、単にディスプレイ１４などと略記することがある。
【００１５】
ディスプレイ１４ａ〜１４ｃは、装置本体１２の正面に設けられており、横方向に配列されている。ディスプレイ１４ａ〜１４ｃは、例えば同一の画面サイズの液晶ディスプレイである。ディスプレイ１４は、後述する制御装置１００により制御されて、所定の情報を表示する。
なお、ディスプレイ１４は、仮想的なコンピュータのディスプレイであってもよい。また、ディスプレイ１４は、ＣＲＴ，ＰＤＰ等から構成されてもよく、それぞれが互いに異なる画面サイズであってもよい。
【００１６】
情報アクセス装置１６ａ，１６ｂは、ユーザに対してディスプレイ１４の手前であって、装置本体１２の左側及び右側の双方に設けられている。情報アクセス装置１６は、例えばタッチパネルからなり、制御装置１００により制御されて、所定の情報を表示し、さらに、ユーザからの入力を受け付けて制御装置１００に対して出力する。なお、情報アクセス装置１６は、装置本体１２の左側及び右側のいずれかに設けられてもよい。
【００１７】
情報アクセス装置１６には、複数のボタン１８が設けられており、ボタン群は、これらのボタン１８により構成される。ボタン１８には、表示対象あるいは演算の指定など、所定の動作が割り当てられており、情報アクセス装置１６は、ボタン１８が押下されることにより、ユーザから所望の指定を受け付ける。なお、ボタン１８が押下されたときの動作等は、後で詳述する。
【００１８】
情報アクセス装置１６ａ，１６ｂの間には、所定の物が載置される載置部２０が設けられており、この載置部２０の上面には、パーソナルコンピュータ（ＰＣ）等の入力装置２６が載置されてもよい。ここで、入力装置２６は、キーボード及びポインティングデバイスを含み、通信ケーブル２４を介して入出力ＩＦ２２と接続されて、多層ワーク支援装置１０の制御装置１００と、データを通信する。
ユーザは、このような多層ワーク支援装置１０を用いて、ネットワークを介して提供されるＷｅｂページ、記憶装置内に格納されているファイル等にアクセスして、多くの仕事を多層的に行う。
【００１９】
図２は、多層ワーク支援装置１０において用いられるコンピュータのハードウェア構成を示す図である。
図２に示すように、多層ワーク支援装置１０は、制御装置１００ａ〜１００ｅ、及び中継装置１１２を有し、制御装置１００ａ〜１００ｅのそれぞれは、ＣＰＵ１０４及びメモリ１０６を含む処理装置１０２、通信ＩＦ１０８、及び記憶装置１１０を有する。
【００２０】
制御装置１００において、通信ＩＦ１０８は、中継装置１１２を介して、他の制御装置１００、外部の入力装置２６、及びＬＡＮ，ＷＡＮ等のネットワーク２と、所定のデータを通信する。記憶装置１１０は、例えばＨＤＤ装置、ＣＤ装置あるいはＤＶＤ装置であり、データを記憶及び再生する。
このように、制御装置１００は、プログラムの実行による情報処理、及びネットワークを介して他の制御装置１００等との間の通信が可能なコンピュータとしての構成部分を有する。
【００２１】
中継装置１１２は、制御装置１００の間で送信及び受信されるデータを中継し、また、入力装置２６及びネットワーク２を介して接続される外部のコンピュータ（不図示）と、入出力ＩＦ２２を介して通信を行う。なお、この中継装置１１２は、サーバとして実現してもよく、また、制御装置１００がＰＣなどのネットワークアドレスを有する形で実現される場合には、複数の制御装置１００が、中継装置１１２を介さず、直接ＰｔｏＰ方式で接続されてもよい。
【００２２】
また、制御装置１００ａは、第１のディスプレイ１４ａに表示される情報を制御し、制御装置１００ｂは、第２のディスプレイ１４ｂに表示される情報を制御し、制御装置１００ｃは、第３のディスプレイ１４ｃに表示される情報を制御する。制御装置１００ｄは、第１の情報アクセス装置１６ａに表示される情報を制御し、第１の情報アクセス装置１６ａからの入力を受け付ける。同様に、制御装置１００ｅは、第２の情報アクセス装置１６ｂに表示される情報を制御し、第２の情報アクセス装置１６ｂからの入力を受け付ける。このように、ディスプレイ１４ａ〜１４ｃ及び情報アクセス装置１６ａ，１６ｂは、それぞれ異なる制御装置１００により制御される。なお、制御装置１００は、通常のＰＣで実現されてもよい。
【００２３】
さらに、制御装置１００ａは、第２のディスプレイ１４ｂ、第３のディスプレイ１４ｃ、及び情報アクセス装置１６ａ，１６ｂに対して、所定の情報を表示させる。この場合、制御装置１００ａは、例えば、制御装置１００ｂとデータを通信して、第２のディスプレイ１４ｂに情報を表示させる。また、制御装置１００ａは、情報アクセス装置１６ａ，１６ｂから入力されたデータを、制御装置１００ｄ，１００ｅを介して受け付ける。制御装置１００ｂ〜１００ｅもまた、同様にして、いずれのディスプレイ１４等に対しても情報を表示させ、いずれの情報アクセス装置１６からデータを受け付ける。
【００２４】
なお、いずれかの制御装置１００が、複数のディスプレイ１４及び情報アクセス装置１６を制御してもよいし、これらの全てを制御してもよい。また、１つの制御装置１００には、複数のＣＰＵ１０４及びメモリ１０６が含まれてもよい。
【００２５】
図３は、情報アクセス装置１６に表示されるボタン群を例示する図である。
図３に例示するように、ボタン群は、個別文書ボタン１８０−１〜１８０−ｍと、一括表示ボタン１８２−１〜１８２−ｎとから構成され、押下可能な形及びサイズで表示される。個別文書ボタン１８０は、図中の矢印Ｓで示される個別文書ボタンエリアに表示され、一括表示ボタン１８２は、図中の矢印Ｔで示される一括表示ボタンエリアに表示される。なお、ボタン群を構成するボタン１８の数は本例に限定されず、ボタン１８の配置も図３に示される配置に限定されない。
【００２６】
個別文書ボタン１８０は、ディスプレイ１４に表示される対象を指定するボタンである。指定される対象には、Ｗｅｂページ、記憶装置１１０に保持されている電子ファイル、ネットワーク２を介して接続された他の電子機器等が含まれる。例えば、ボタンＡはＣ社のＷｅｂページ（ホームページともいう）へアクセスするボタンである。ユーザがボタンＡを押下すると、Ｃ社のＷｅｂページが、ディスプレイ１４ａ〜１４ｃの少なくともいずれかに表示される。また、ユーザが、記憶装置１１０に保持されている電子ファイルへアクセスするボタンを押下すると、記憶装置１１０に記憶されている電子ファイルが、ディスプレイ１４に表示される。
【００２７】
一括表示ボタン１８２は、個別文書ボタン１８０により指定される対象に付与されている関連情報を指定するボタンである。一括表示ボタン１８２が押下されると、指定された関連情報に基づいて、対象が検索される。なお、関連情報については、後で詳述する。また、関連情報の入力形式は、ボタン形式に限定されず、例えばプルダウン形式であってもよく、ユーザにより直接入力される形式であってもよい。
【００２８】
次に、本発明に係る多層ワーク支援装置１０の理解を容易にするために、本発明の概要を説明する。
図４は、ボタン群を構成するボタン１８それぞれに付与されている関連情報を管理するボタン管理表を示す。
図４に示されるように、ボタン管理表には、ボタン分類、ラベル名、格納先、付与キーワードが含まれる。
ボタン分類は、ボタン１８が一括表示ボタン１８２であるか個別文書１８０ボタンであるかを示す。
ラベル名は、当該ボタンが情報アクセス装置１６に表示される際に、表示される文字列である。ラベル名は、ボタン群に含まれるボタン１８を一意に識別する識別子であってもよい。
【００２９】
格納先は、当該ボタンが押下されたときにディスプレイ１４に表示される対象を示し、例えば、ＵＲＬ、ファイル等の対象が保存されている場所へのパス、ＩＰアドレス等が指定されている。ユーザは、ボタン１８を押下したり、マウスでクリックしたりして、Ｗｅｂページ、記憶装置１１０に保持されている電子ファイル、ネットワーク２を介して接続された他の電子機器等へのアクセスを指示する。
付与キーワードは、当該ボタンに付与されている関連情報である。付与キーワードは、１つのボタン１８に対して、複数、設定されてもよい。ここで、一括表示ボタン１８２においては、ラベル名が付与キーワードである。
【００３０】
ユーザが、一括表示ボタン１８２を押下して関連情報を指定すると、指定された関連情報に基づいて、検索処理が実行される。検索対象は、当該関連情報が付与キーワードとして設定されている対象である。個別文書ボタン１８０が、検索された対象を指定している場合には、検索処理後、当該個別文書ボタン１８０の外観が変更される。
【００３１】
図５は、一括表示ボタン１８２により指定された関連情報に基づいて検索された対象の、ディスプレイ１４への表示について説明する図である。
図５に示すように、「競合」と表示された一括表示ボタン１８２−１（競合ボタンともいう）が押下されると、対象は関連情報「競合」に基づいて検索され、個別文書ボタン１８０が付与キーワードとして関連情報「競合」を設定されている場合には、当該個別文書ボタン１８０の外観（色、大きさ、形状等）が変更される。本例では、Ｃ社、Ｒ社並びにＩ社のＷｅｂページを指定する個別文書ボタン１８０の色が、例えば緑色に変更される。
【００３２】
「新商品」と表示された一括表示ボタン１８２−２（新商品ボタンともいう）が押下されると、対象は関連情報「新商品」に基づいて検索され、関連情報「新商品」が付与キーワードとして設定されている個別文書ボタン１８０の外観が変更される。例えば、Ｘ新聞、Ｙ新聞並びにＺ新聞のＷｅｂページを指定する個別文書ボタン１８０の色が、青色に変更される。
これにより、ユーザは、指定した関連情報を含む複数の文書を、効果的に検索することができる。
【００３３】
検索された個別文書ボタン１８０のいずれかが押下されると、当該個別文書ボタン１８０により指定されている対象が、少なくともいずれかのディスプレイ１４ａ〜１４ｃに表示される。例えば、Ｃ社を指定する個別文書ボタン１８０が押下された場合、Ｃ社のＷｅｂページがディスプレイ１４ａに表示される。
一括表示ボタン１８２が押下されて検索処理が行われた後、同一の一括表示ボタン１８２が再度押下されると、検索された対象の全てが、ディスプレイ１４ａ〜１４ｃに表示される。例えば、競合ボタンが押下されて検索処理が行われた後、競合ボタンが再度押下されると、Ｃ社、Ｒ社並びにＩ社のＷｅｂページが、それぞれディスプレイ１４ａ〜１４ｃに表示される。
【００３４】
複数の一括表示ボタン１８２が押下された場合には、指定された複数の関連情報に基づいて、対象が検索される。検索対象は、これらの関連情報の全てが付与キーワードとして設定されている対象である。即ち、付与キーワードに対してアンド検索処理が実行される。なお、検索対象は、指定された複数の関連情報のいずれかが付与キーワードとして設定されている対象であってもよい。
【００３５】
図６は、複数の一括表示ボタン１８２が押下された場合の検索について説明する図である。
図６に示すように、競合ボタンと新商品ボタンとが押下されると、対象は関連情報「競合」及び「新商品」に基づいて検索され、個別文書ボタン１８０が付与キーワードとして付与キーワードとして関連情報「競合」及び「新商品」を設定されている場合には、当該個別文書ボタン１８０の外観が変更される。本例では、Ｉ社等のＷｅｂページを指定する個別文書ボタン１８０の色が、例えば赤色に変更され、当該個別文書ボタン１８０は拡大されて表示される。また、当該個別文書ボタン１８０は、その大きさが動的に変更するように表示されてもよい。
このようにして、個別文書ボタン１８０が検索された対象を指定する場合には、表示態様が変更されて、当該個別文書ボタン１８０は強調される。
【００３６】
検索処理の後、同一の一括表示ボタン１８２が再度押下される際、検索された対象の数が、ディスプレイ１４ａ〜１４ｃの数を超えない場合には、検索された対象それぞれは、いずれかのディスプレイ１４ａ〜１４ｃに全画面表示される。検索された対象の数が、ディスプレイ１４ａ〜１４ｃの数を超える場合には、検索された対象が重なり合わないように、表示ウインドウのサイズ、及び表示されるディスプレイ１４が調整されて、検索された対象の全てが、いずれかのディスプレイ１４ａ〜１４ｃに表示される。
【００３７】
図７は、検索された対象の数がディスプレイ１４ａ〜１４ｃの数を超える場合の表示方法を例示する図である。
図７に例示するように、検索された対象の数が、ディスプレイ１４ａ〜１４ｃの数を超える場合には、検索された対象は、いわゆるタイリング表示され、重なり合わないように、ディスプレイ１４ａ〜１４ｃに表示される。
【００３８】
次に、本発明に係る多層ワーク支援装置の表示方法を実現する検索表示プログラム２００について説明する。
図８は、多層ワーク支援装置１０の制御装置１００（図２）により実行される検索表示プログラム２００の構成を示す図である。
図８に示すように、検索表示プログラム２００は、ユーザインタフェース（ＵＩ）部２０２、通信部２０４、制御部２０６、情報記憶部２０８、検索部２１０、統合部２１２、表示部２１４を有する。検索表示プログラム２００は、これらの構成部分により、ディスプレイ１４に表示される対象と当該対象に付与された関連情報とを記憶し、記憶されている関連情報を指定する一括表示ボタン１８２（関連情報指定ボタン）を介した入力を受け付け、指定された関連情報に基づいて検索された対象をディスプレイ１４に表示させる。
【００３９】
検索表示プログラム２００は、例えば、ネットワーク２、通信ＩＦ１０８（図２）などを介して処理装置１０２に供給され、メモリ１０６にロードされて、さらに処理装置１０２で動作するＯＳ上で、ハードウェアを具体的に利用して実行される。また、検索表示プログラム２００は、全ての制御装置１００ａ〜１００ｅにおいて実行されてもよいし、いずれかの制御装置１００において実行されてもよい。
【００４０】
検索表示プログラム２００において、ＵＩ部２０２は、情報アクセス装置１６及び入力装置２６に対するユーザの操作を受け入れ、後述する構成部分に対して出力する。ここで、ユーザの操作には、ボタン１８の押下（マウスによるクリックも含む）などが含まれる。また、ＵＩ部２０２は、後述する表示部２１４により作成された情報（画像データ等）及び各構成部分の処理内容などを、ディスプレイ１４及び情報アクセス装置１６に表示する。
【００４１】
通信部２０４は、通信ＩＦ１０８を介してデータを入出力し、中継装置１１２を介した多層ワーク支援装置１０内のデータの送受信、及びネットワーク２を介した外部のコンピュータとのデータの送受信を制御する。また、通信部２０４は、伝送される情報・データの改ざん防止のための暗号化処理を行ってもよい。
【００４２】
情報記憶部２０８は、図４に示されるボタン管理表、後述する統合シート並びに表示状態シート、個別文書ボタン１８０により示される対象の最新ファイル、文書作成ソフトウェアあるいは表計算ソフトウェアの電子ファイルなどを記憶する。ここで、ボタン管理表には、ディスプレイ１４に表示される対象と、当該対象に付与された関連情報とが含まれており、情報記憶部２０８は、記憶手段を構成する。情報記憶部２０８は、記憶装置１１０及びメモリ１０６により実現される。
【００４３】
制御部２０６は、ユーザが一括表示ボタン１８２を押下して行う関連情報の入力を、ＵＩ部２０２を介して受け付け、検索式を作成し、後述する検索部２１０に検索処理を実行させる。制御部２０６は、複数の関連情報を受け付けた場合、これらの関連情報に基づいた、アンド検索処理、オア検索処理などの検索処理を実行させる。
【００４４】
また、制御部２０６は、多層ワーク支援装置１０に含まれる他の制御装置１００に対して、作成された検索式を出力し、検索結果を受け付ける。制御部２０６は、受け付けた複数の検索結果を、統合部２１２に対して出力して、統合処理を実行させる。
さらに、制御部２０６は、後述する表示部２１４を制御して、検索された対象を指定している個別文書ボタン１８０の表示態様を変更させる。
【００４５】
検索部２１０は、制御部２０６から検索式を受け付けて、情報記憶部２０８に記憶されているボタン管理表を参照し、検索式に基づいた検索処理を行う。検索式がアンド検索処理である場合には、検索部２１０は、全ての関連情報が付与キーワードとして設定されている対象を検索する。検索部２１０は、検索結果を制御部２０６に対して出力する。なお、検索式は、アンド検索処理に限定されずに、オア検索処理であってもよいし、その他の論理式であってもよい。
【００４６】
統合部２１２は、多層ワーク支援装置１０に含まれる複数の制御装置１００上で実行された検索結果を制御部２０６から受け付け、これらの検索結果を統合して統合シートを作成し、作成された統合シートを情報記憶部２０８に記憶する。なお、統合シートについては、後で詳述する。
【００４７】
表示部２１４は、ディスプレイ１４及び情報アクセス装置１６に表示される内容を制御する。より具体的には、表示部２１４は、情報記憶部２０８に記憶されている後述の表示状態シートに格納されている、個別文書ボタン１８０それぞれの外観（色、大きさ、形状等）を参照及び更新し、検索された対象を指定する個別文書ボタン１８０を、検索されなかった対象を指定する個別文書ボタン１８０とは異なる外観で表示する。ここで、ボタンの外観は、色、形状、及び大きさの少なくともいずれかにより決定される。なお、情報記憶部２０８に記憶されている表示状態シートについては後述する。 
【００４８】
また、表示部２１４は、一括表示ボタン１８２により指定された関連情報に基づいて検索された対象を、ディスプレイ１４ａ〜１４ｃに表示する表示手段を構成する。より具体的には、表示部２１４は、検索処理後、個別文書ボタン１８０及び一括表示ボタン１８２の少なくともいずれかを介して指示された対象を表示する。ここで、表示対象は、例えば、業務を実行するためのアプリケーションソフト（表計算ソフト、文書作成ソフト、遠隔会議用ソフト等）の電子ファイル、Ｗｅｂページ等を含む。
さらに、表示部２１４は、多層ワーク支援装置１０に含まれる任意の制御装置１００に対して対象データを送信し、ディスプレイ１４ａ〜１４ｃ及び情報アクセス装置１６ａ，１６ｂに対象を表示する。
【００４９】
図９は、統合部２１２により作成され、情報記憶部２０８に記憶される統合シートを例示する図である。
図９に例示するように、統合シートは、検索式に基づいて検索された対象の一覧を示す。統合シートには、検索式、ラベル名、格納先、付与キーワードが含まれる。ここで、ラベル名、格納式、付与キーワードは、ボタン管理表に含まれる項目と同様の項目である。検索式は、ユーザにより入力された関連情報に基づいて、検索表示プログラム２００の制御部２０６により作成された式である。例えば、検索式が「競合」である場合には、付与キーワードに「競合」を含む対象が、統合シートに統合される。また、例えば、検索式が「競合＊新商品」である場合には、付与キーワードに「競合」及び「新商品」を含む対象が統合される。なお、統合シートに含まれる項目は、本例に限定されず、他の項目が含まれてもよいし、図９に示される項目のいずれかが含まれなくてもよい。
【００５０】
図１０は、情報記憶部２０８に記憶されており、表示部２１４により参照される表示状態シートを例示する図である。
図１０に例示するように、表示状態シートには、検索式、ラベル名、格納先、表示カラー、表示サイズ、及び動的表現が含まれる。表示状態シートは、これらの項目により、ボタン１８それぞれの表示態様を規定する。なお、表示状態シートは、統合シート（図９）に含まれてもよい。
【００５１】
表示カラーは、ボタン１８の色を示し、例えば、Ｒ（赤）、Ｇ（緑）、Ｂ（青）である。
表示サイズは、ボタン１８の大きさを示し、画素数で表されてもよいし、検索されなかった対象を示すボタン１８の大きさとの相対値であってもよい。例えば、「＊１．５」は、１．５倍の大きさであることを示す。
動的表現は、ボタン１８の大きさが動的に変更することを示す。
【００５２】
図１１は、多層ワーク支援装置１０における全体動作（Ｓ１０）を示すフローチャートである。本例では、制御装置１００ａが、ディスプレイ１４ａに加えて、情報アクセス装置１６ａ，１６ｂを制御し、制御装置１００ｂがディスプレイ１４ｂを制御し、制御装置１００ｃがディスプレイ１４ｃを制御している。また、検索表示プログラム２００は、それぞれの制御装置１００ａ〜１００ｃ上で動作している。
【００５３】
図１１に示すように、ステップ１００（Ｓ１００）において、ユーザが、情報アクセス装置１６ａ，１６ｂの一括表示ボタン１８２を押下すると、制御装置１００ａ上で動作する検索表示プログラム２００は、情報アクセス装置１６ａ，１６ｂから、押下された一括表示ボタン１８２が示すキーワード（関連情報）を受け付ける。
ステップ１０２（Ｓ１０２）において、検索表示プログラム２００の制御部２０６は、ＵＩ部２０２を介して関連情報を受け付け、検索式を作成する。複数の関連情報が受け付けられた場合、制御部２０６は、アンド検索及びオア検索などを行うための論理式を作成する。
【００５４】
ステップ１０４（Ｓ１０４）において、制御部２０６は、作成された検索式を、通信部２０４を介して制御装置１００ｂ，１００ｃに対して送信する。制御装置１００ｂ，１００ｃでは、検索表示プログラム２００の制御部２０６が、通信部２０４を介して、送信された検索式を受信する。
【００５５】
ステップ１０６（Ｓ１０６）において、制御装置１００ａ〜１００ｃのそれぞれで、検索表示プログラム２００の制御部２０６は、検索部２１０を制御して、作成された検索式に基づいて検索処理を実行させる。検索部２１０は、情報記憶部２０８に記憶されているボタン管理表の付与キーワードを参照し、検索式に基づいた検索処理を実行して、検索された対象を検索結果として、制御部２０６に対して出力する。例えば、検索式がアンド検索である場合には、検索部２１０は、全ての関連情報が付与キーワードとして設定されている対象を検索する。
【００５６】
ステップ１０８（Ｓ１０８）において、制御装置１００ｂ，１００ｃのそれぞれで、制御部２０６は、検索結果を、通信部２０４を介して制御装置１００ａに対して送信する。制御装置１００ａでは、制御部２０６が、通信部２０４を介して、送信された検索結果を受信する。
【００５７】
ステップ１１０（Ｓ１１０）において、制御装置１００ａで、統合部２１２は、制御装置１００ａ〜１００ｃ上で実行された検索結果を制御部２０６から受け付け、統合シート（図９）を作成して、情報記憶部２０８に記憶する。
ステップ１１２（Ｓ１１２）において、表示部２１４は、制御部２０６により制御されて、情報記憶部２０８に記憶されている統合シートを参照し、検索結果に基づいて、表示状態シート（図１０）を更新し、検索された対象を指定する個別文書ボタン１８０の外観を決定する。
【００５８】
ステップ１１４（Ｓ１１４）において、表示部２１４は、更新された表示状態シートに基づいて、情報アクセス装置１６ａ，１６ｂの個別文書ボタン１８０の外観を変更する。例えば、表示部２１４は、該当する個別文書ボタン１８０の色を赤色に変更したり、当該ボタンの大きさを拡大したり、あるいは当該ボタンの大きさを動的に変更したりする。
ステップ１１６（Ｓ１１６）において、ユーザが、情報アクセス装置１６ａ，１６ｂの一括表示ボタン１８２を再度押下すると、制御部２０６は、ＵＩ部２０２を介して提示情報の指定を受け付ける。
【００５９】
ステップ１１８（Ｓ１１８）において、表示部２１４は、制御部２０６に制御され、指定された提示情報の表示方法を決定する。より具体的には、表示部２１４は、提示される対象の数を考慮して、表示方法を決定する。表示部２１４は、提示対象の数がディスプレイ１４ａ〜１４ｃの数を超えない場合には、それぞれの提示対象がいずれかのディスプレイ１４ａ〜１４ｃに全画面表示されるようにする。
また、表示部２１４は、提示対象の数がディスプレイ１４ａ〜１４ｃの数を超える場合には、それぞれの提示対象がタイリング表示されるように、表示されるディスプレイ１４及び表示サイズを決定する。なお、この場合、それぞれの提示対象が、タイリング表示されず、重なり合うように表示されるように、表示サイズ等が決定されてもよい。
【００６０】
ステップ１２０（Ｓ１２０）において、表示部２１４は、決定された表示方法を、通信部２０４を介して制御装置１００ｂ，１００ｃに対して送信する。制御装置１００ｂ，１００ｃでは、検索表示プログラム２００の表示部２１４が、通信部２０４を介して、送信された表示方法を受信する。
ステップ１２２（Ｓ１２２）において、制御装置１００ａ〜１００ｃのそれぞれで、表示部２１４は、決定及び送信された表示方法に基づいて、対応するディスプレイ１４ａ〜１４ｃに対象をする。
このようにして、対象は、ユーザにより入力されたキーワードに基づいて検索され、複数のディスプレイ１４ａ〜１４ｃの少なくともいずれかに表示される。
【００６１】
以上説明したように、本発明に係る多層ワーク支援装置１０は、ディスプレイと、ディスプレイに表示される対象と、当該対象に付与された関連情報とを記憶する記憶手段と、記憶手段により記憶されている関連情報を指定する関連情報指定ボタンと、関連情報指定ボタンにより指定された関連情報に基づいて検索された対象を、ディスプレイに表示させる表示手段とを有する。特に、複数の関連情報が対象に付与されている場合、多層ワーク支援装置１０は、指定された複数の関連情報に基づいて検索された対象をディスプレイに表示させる。
これにより、多層ワーク支援装置１０は、関連する情報を効果的に検索及び表示することができるので、ユーザは、関連情報に基づいた検索を容易に行うことができ、検索された複数の対象を効率よくディスプレイに表示させることができる。
【００６２】
次に、本発明の第２の実施形態にかかる多層ワーク支援装置１０を説明する。
図１２は、本実施形態において、情報アクセス装置１６に表示されるボタン群を例示する図である。
図１２に例示するように、本実施形態に係る多層ワーク支援装置１０は、情報アクセス装置１６のボタン群に表示切替ボタン１８４が設けられている点で、第１の実施形態に係る多層ワーク支援装置１０とは異なる。なお、図１２に示された各構成のうち、図３に示された構成と実質的に同一のものには同一の符号が付されている。
【００６３】
表示切替ボタン１８４は、一括表示ボタン１８２により指定された対象と、当該対象に付与されている関連情報を付与された対象であって記憶手段により記憶されている対象とを、ディスプレイ１４に表示するボタンである。より具体的には、検索処理が関連情報に基づいて行われ、該当する個別文書ボタン１８０の外観が変更された後、表示切替ボタン１８４がいずれかの個別文書ボタン１８０とともに押下されると、当該個別文書ボタン１８０が指定する対象と、当該関連情報に基づいて検索された他の対象とが、ディスプレイ１４に表示される。
【００６４】
例えば、検索処理が関連情報「競合」及び「新製品」をキーワードとして行われると、Ｉ社を指定する個別文書ボタン１８０の色が、赤色に変更される。また、Ｃ社、Ｒ社は、関連情報「競合」のみが付与キーワードとして設定されているので、これらを指定する個別文書ボタン１８０の色は、緑色に変更される。さらに、Ｘ新聞、Ｙ新聞及びＺ新聞は、関連情報「新製品」のみが付与キーワードとして設定されているので、これらを指定する個別文書ボタン１８０の色は、青色に変更される。
【００６５】
ここで、表示切替ボタン１８４が押下されながら、Ｃ社を指定する個別文書ボタン１８０が押下された場合、Ｃ社のＷｅｂページとともに、関連するＲ社のＷｅｂページがディスプレイ１４に表示される。一方、表示切替ボタン１８４が押下されながら、Ｘ新聞を指定する個別文書ボタン１８０が押下された場合、Ｘ新聞のＷｅｂページとともに、関連するＹ新聞及びＺ新聞のＷｅｂページがディスプレイ１４に表示される。
【００６６】
本実施形態においては、検索表示プログラム２００の制御部２０６は、表示切替ボタン１８４といずれかの個別文書ボタン１８０とが押下されたことを、ＵＩ部を介して受け付け、表示部２１４を制御して、押下された個別文書ボタン１８０が指定する対象と、この対象に関連する対象とを、ディスプレイ１４に表示させる。制御部２０６は、情報記憶部２０８に記憶されている統合シートを参照して、関連する複数の対象を抽出する。
表示部２１４は、制御部２０６に制御されて、情報記憶部２０８に記憶されている統合シート及び表示状態シート等を参照して、関連する複数の対象をディスプレイ１４に表示する。
【００６７】
このようにして、多層ワーク支援装置１０は、表示切替ボタン１８４を介した入力を受け付け、関連する対象をディスプレイ１４に表示する。ユーザは、関連する複数の対象のうち、１つの対象のみを表示することもできるし、表示切替ボタン１８４を用いることで、関連する複数の対象を一括で表示させることもできる。このため、ユーザは、関連する情報を効果的に検索及び表示することができる。
【図面の簡単な説明】
【００６８】
【図１】本発明の実施形態に係る多層ワーク支援装置１０を示す図である。
【図２】多層ワーク支援装置１０において用いられるコンピュータのハードウェア構成を示す図である。
【図３】本発明の第１の実施形態において、情報アクセス装置１６に表示されるボタン群を例示する図である。
【図４】ボタン群を構成するボタン１８それぞれに付与されている関連情報を管理するボタン管理表を示す。
【図５】一括表示ボタン１８２により指定された関連情報に基づいて検索された対象の、ディスプレイ１４への表示について説明する図である。
【図６】複数の一括表示ボタン１８２が押下された場合の検索について説明する図である。
【図７】検索された対象の数がディスプレイ１４ａ〜１４ｃの数を超える場合の表示方法を例示する図である。
【図８】多層ワーク支援装置１０の制御装置１００により実行される検索表示プログラム２００の構成を示す図である。
【図９】統合部２１２により作成され、情報記憶部２０８に記憶される統合シートを例示する図である。
【図１０】情報記憶部２０８に記憶されており、表示部２１４により参照される表示状態シートを例示する図である。
【図１１】多層ワーク支援装置１０における全体動作（Ｓ１０）を示すフローチャートである。
【図１２】本発明の第２の実施形態において、情報アクセス装置１６に表示されるボタン群を例示する図である。
【符号の説明】
【００６９】
２ ネットワーク
１０ 多層ワーク支援装置
１２ 装置本体
１４ ディスプレイ
１６ 情報アクセス装置
１８ ボタン
２６ 入力装置
１００ 制御装置
１０２ 処理装置
１０４  ＣＰＵ
１０６ メモリ
１１０ 記憶装置
１１２ 中継装置
１８０ 個別文書ボタン
１８２ 一括表示ボタン
１８４ 表示切替ボタン
２００ 検索表示プログラム
２０２ ＵＩ部
２０４ 通信部
２０６ 制御部
２０８ 情報記憶部
２１０ 検索部
２１２ 統合部
２１４ 表示部
【図１】
2007133569.tif 000003
【図２】
2007133569.tif 000004
【図３】
2007133569.tif 000005
【図４】
2007133569.tif 000006
【図５】
2007133569.tif 000007
【図６】
2007133569.tif 000008
【図７】
2007133569.tif 000009
【図８】
2007133569.tif 000010
【図９】
2007133569.tif 000011
【図１０】
2007133569.tif 000012
【図１１】
2007133569.tif 000013
【図１２】
2007133569.tif 000014